【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
製品を収納する中空体（５）を形成する外側壁（２）と、上部入口壁（３）と、下部出口壁（４）と、前記カプセルから横方向に伸びるフランジ縁（６）と、前記フランジ縁の上表面（６ａ）に位置し、使用時に前記容器（５０）と密封係合する少なくとも１つの密封突起（１０）と、を有するカプセル（１）の少なくとも一部を収納するための容器（５０）を備えた抽出装置から飲料を供給するためのカプセルであって、
前記密封突起は、前記フランジ縁（６）の前記上表面（６ａ）に交差し、前記フランジ縁（６）の前記上表面（６ａ）から伸びて、４５°〜１２０°の範囲の角度（α）をなすように１つの点（Ｂ）において互いに交わる２つの直線と重なる２つの辺（１１、１２）を有する実質的に三角形の断面を有する部分を有し、前記上表面（６ａ）から測定した前記交点（Ｂ）の高さ（Ｈ）が０．５ｍｍより大きく、好ましくは０．６ｍｍ〜２．６ｍｍの範囲にある、カプセル（１）。
【請求項２】
前記角度（α）が、５３°〜８０°の範囲にあり、好ましくは５５°〜６５°の範囲にあり、最も好ましくは６０°である、請求項１に記載のカプセル。
【請求項３】
前記高さ（Ｈ）が、０．６〜２．０ｍｍの範囲、好ましくは０．８〜１．５ｍｍの範囲にある、請求項１又は２に記載のカプセル。
【請求項４】
前記三角形は正三角形である、先行するいずれかの請求項に記載のカプセル。
【請求項５】
前記２つの辺（１１、１２）の１つが、前記カプセルの外側壁（２）から突出する、または、前記カプセルの前記外側壁（２）と前記フランジ様縁（６）の前記上表面（６ａ）との接触点から突出する、請求項１〜４のいずれかに記載のカプセル。
【請求項６】
前記少なくとも２つの辺（１１、１２）は、曲線、直線、及び／又は２以上の傾斜セグメントにより互いに接続される、前のいずれかの請求項に記載のカプセル。
【請求項７】
前記カプセルの前記外側壁（２）の下部は実質的に垂直である、前のいずれかの請求項に記載のカプセル。
【請求項８】
前記カプセルの本体は実質的に円錐台形であり、中心軸（Ａ）を有する、前のいずれかの請求項に記載のカプセル。
【請求項９】
放射断面方向から見た場合、前記高さ（Ｈ）は前記角度（α）の二等分線に対応する、請求項８に記載のカプセル。
【請求項１０】
前記カプセルの前記中心軸（Ａ）に対して放射断面方向から見た場合、前記少なくとも２つの辺（１１、１２）と重なる前記直線の交点（Ｂ）は、中心が前記カプセルの前記中心軸に属する円周を形成する、請求項８又は９に記載のカプセル。
【請求項１１】
前記密封突起は、前記フランジ様縁の前記上側（６ａ）又は下側（６ｂ）、又はその両方から伸びる、前のいずれかの請求項に記載のカプセル。
【請求項１２】
前のいずれかの請求項に記載のカプセル（１）と、
前記カプセルの少なくとも一部を収納するための容器（５０）を有する抽出装置と、
を備え、前記容器（５０）は、前記密封突起（１０）の前記実質的に三角形の部分と接触し、飲料供給中に前記カプセルとの密封係合を与える下端（５０ａ）を有する、飲料供給システム。
【請求項１３】
前記フランジ様縁（６）の前記上表面（６ａ）上にて測定した前記密封突起（１０）の前記三角形の部分の底辺（２４）と、前記容器（５０）の下端（５０ａ）の幅（Ｗ）との比は、０．８〜３．０の範囲内、好ましくは１．０〜２．３の範囲内、最も好ましくは１．２〜１．８の範囲内にある、請求項１２に記載の飲料供給システム。
【請求項１４】
前記２つの辺（１１、１２）が重なる前記直線の交点（Ｂ）は、前記カプセル（１）との密封係合を与える前記２つの辺の少なくとも一部と接触する前記容器（５０）の下端（５０ａ）の幅（Ｗ）の突出部内に収まる、請求項１２又は１３に記載の飲料供給システム。
【請求項１５】
使用中に、前記下端（５０ａ）は、前記三角形の密封突起（１０）の前記内側（１１）の部分及び前記外側（１２）の部分を圧縮する、請求項１２〜１４のいずれかに記載の飲料供給システム。
【請求項１６】
前記下端（５０ａ）には刻み目又は隙間が設けられている、請求項１２〜１５のいずれかに記載の飲料供給システム。
【請求項１７】
前記下端（５０ａ）と前記密封突起とは、実質的に同軸円周である、請求項１２〜１６のいずれかに記載の飲料供給システム。
【請求項１８】
前記容器（５０）の前記下端は、前記三角形の密封突起（１０）の前記内側（１１）の部分と前記外側（１２）の部分と圧縮接触して、飲料供給中に前記カプセル（１）との密封係合を与える、請求項１２〜１７のいずれかに記載の飲料供給システムにおける飲料の供給方法。
【手続補正２】
【補正対象書類名】明細書
【補正対象項目名】０００５
【補正方法】変更
【補正の内容】
【０００５】
典型的なカプセルは、実質的に円錐台形の本体と、カプセルの２つの底のうちの１つから伸びるフランジ縁部分とを有する。抽出装置は、抽出ステップ中に十分な密封を達成するために、容器をフランジに押しつける手段を備えている。最近、飲料の出口が設けられた側に対応する位置にフランジを設けたカプセルが提供されている。使用中、これらのカプセルの本体は抽出装置の容器に入れられ、本体のフランジが設けられた側とは反対側が、水が注入される側となる。フランジが設けられた底から飲料が出て行く。容器からの水の漏れを防ぐため、フランジと容器との間の密封が必要とされる。
【手続補正３】
【補正対象書類名】明細書
【補正対象項目名】００３７
【補正方法】変更
【補正の内容】
【００３７】
三角形の密封突起の１つの辺がカプセルの側壁から伸びる典型的な実施形態において、このような配置により、圧縮力を加えた状態において、外側壁が密封突起と容器との間の密封係合に負の影響を及ぼすような径方向の動き又は変形をしないよう、密封突起を固定できる。
【手続補正４】
【補正対象書類名】明細書
【補正対象項目名】００５２
【補正方法】変更
【補正の内容】
【００５２】
発明に係るカプセルは、システムの一部であり、飲料供給プロセス中にカプセルの少なくとも一部を収納する収納要素、又は、容器５０（図２）を備えた飲料供給装置（すなわち、抽出装置）中にて用いられる。言い換えると、カプセル１は、飲料供給プロセスの最初において容器へ入れることが可能であり、飲料供給プロセスの最後において容器から取り出すことが可能であるカプセルの形状に対応する形状を有する容器５０に、少なくとも一部が入れられている。 容器５０は、カプセルが容器に挿入された際に、フランジ縁６の他の側からカプセルを支持する支持部材５１と協働する。容器５０は動作可能である一方、支持部材５１は固定された部材である。使用時、容器５０は支持部材５１まで移動し、フランジ縁が容器５０と支持部材５１との間で圧縮される。抽出装置には、さらに、カプセル中に抽出液（好ましくは、加圧下の熱水）を供給する手段（図示せず）が設けられている。
【手続補正５】
【補正対象書類名】明細書
【補正対象項目名】００５３
【補正方法】変更
【補正の内容】
【００５３】
飲料供給中、典型的な実施形態のカプセル１は、容器５０と支持部材５１との間にカプセルを収納するために、容器５０と支持部材５１との間の相対的な動きを制御する知られた手段をさらに備えた飲料供給装置の容器５０と支持部材５１との間に位置している。容器５０は、密封係合を得るために、カプセルの少なくとも一部、好ましくはフランジ様縁に、圧力を加えている。
【手続補正６】
【補正対象書類名】明細書
【補正対象項目名】００５５
【補正方法】変更
【補正の内容】
【００５５】
カプセルは、典型的には、中心軸（Ａ）を有する実質的にカップ形状、又は、円錐台形を有する。言い換えると、外側壁２は、中心軸（Ａ）と平行ではなく、中空体５は、実質的に平らな下部壁４と、上部壁３とにより閉じられている。示した実施形態においては、中心軸Ａと外側壁２の外側表面との間で測定したカプセルの本体５の半径（Ｒ）は、１５ｍｍである（図２参照）。
【手続補正７】
【補正対象書類名】明細書
【補正対象項目名】００７３
【補正方法】変更
【補正の内容】
【００７３】
少なくとも１つの密封突起１０は、２つの辺１１、１２が重なる実質的に三角形の断面を有する部分を有する。すなわち、図３及び図３ａに示すように、２つの実線で定義される三角形の断面を有する部分を有する。
【手続補正８】
【補正対象書類名】明細書
【補正対象項目名】００７４
【補正方法】変更
【補正の内容】
【００７４】
さらに詳細には、断面において、カプセルの密封突起は点Ｂにて交わる２つの直線と重なる２つの辺１１、１２により形成され、フランジ様縁６の上表面６ａから伸びる実質的に三角形の密封突起を形成する。示す実施形態においては、断面図は、中心軸Ａを通る放射面から見たものである（図２、図３、及び図３ａを参照）。図に示すように、密封三角形の辺１１、１２を定義する直線はフランジ６と交わる。すなわち、当該直線はフランジ６の上表面６ａと交わる。上記のように、フランジ縁６の「上表面」との用語は、カプセルの本体の外側壁の内側２０から伸び、フランジの外端２１へ伸びる（カプセル使用中に容器と対向する）フランジの表面を定義するものとする。好ましくは、辺１１、１２を定義する線はまた、フランジ６の下表面６ｂと交わる（図３ａ）。すなわち、三角形はフランジ上に位置しており、三角形は、三角形の辺１１、１２を定義する直線がフランジ６の少なくとも上表面６ａと、好ましくは下表面６ｂとも、交わるような形状である。
【手続補正９】
【補正対象書類名】明細書
【補正対象項目名】００８０
【補正方法】変更
【補正の内容】
【００８０】
密封突起１０の三角形部分は、フランジ様縁６の上表面６ａ上に存在し、上表面６ａと線１３、１４との２つの交点により定義される底辺２４を有している（図３ａを参照）。容器５０の下端５０ａ、すなわち、容器５０の押え端は、カプセルのフランジと接触する容器部分の幅である幅Ｗを有している。本発明によると、上表面６ａにて測定した底辺２４と容器５０の下端５０ａの幅Ｗとの比Ｂａｓｅ／Ｗｉｄｔｈは、０．８〜３．０の範囲内にあり、好ましくは１．０より大である。さらに好ましくは、比Ｂａｓｅ／Ｗｉｄｔｈは、１．０〜２．３の範囲内にあり、さらに好ましくは、１．２〜１．８の範囲内にある。
【手続補正１０】
【補正対象書類名】明細書
【補正対象項目名】００８５
【補正方法】変更
【補正の内容】
【００８５】
また、表面６ａとは反対側の、使用中に支持部材５１と接触するフランジの面であるフランジ６の下面に三角形の突起が位置する実施形態も、本発明の範囲に含まれる。図３及び図３ａに示す実施形態において、この部分は、下部壁４の１５として参照されている部分である。すなわち、下部壁４は、二層フランジを形成するために外側壁２から伸びたフランジ部分と接触し固定された部分１５を有している（図３において、下突起１７は点線にて示しており、下部壁４の部分１５から伸びている）。このように、さらなる可能性のある実施形態においては、カプセルは、カプセルの縁の反対側から延びる２つの突起１０、１７を有している。２つの突起は、異なる形状と高さを有していてもよい。
【手続補正１１】
【補正対象書類名】明細書
【補正対象項目名】０１０１
【補正方法】変更
【補正の内容】
【０１０１】
容器５０は支持部材５１と協働し、抽出装置には、容器５０と支持部材５１との間に、カプセル１を収納するために容器を移動可能とする知られた手段が設けられている。
【手続補正１２】
【補正対象書類名】明細書
【補正対象項目名】０１０５
【補正方法】変更
【補正の内容】
【０１０５】
さらに、上記のように、少なくとも１つの辺がカプセルの側壁から伸びることにより、カプセルの容器中における中心位置を改善できる。いずれの場合も、突起の底辺と下端５０ａの幅との比が上記の開示された比となることにより、中心位置は得られる。